(57)【要約】本発明は、第１のディスプレイ装置での表示及び少なくとも一つの他のディスプレイ装置での表示が、時系的及び／若しくは空間的に調整された方法において生じる間、複数の表示装置（１）でデジタル表示エレメント（ａ１−ｎ，ｂ１−ｎ，ｃ１−ｎ，ｄ１−ｎ）を表示する方法に関する。時系的に調整された方法において表示エレメントを表示するために、少なくとも一つ、好ましくは複数のディスプレイコンピュータ装置（４）及びこのディスプレイコンピュータ装置（４）に接続される制御コンピュータ装置（３）が設けられ、少なくとも一つのディスプレイ装置（１）が各々のディスプレイコンピュータ装置に接続される。少なくとも一つの表示エレメント及び／若しくは表示エレメントに対するレファレンス及び少なくとも一つの制御情報（ｔａ，ｔｂ，ｔｃ，ｔｄ）が、制御コンピュータ装置（３）に送信される。制御コンピュータ装置は、制御情報の項目から少なくとも一つの制御コマンド（ｘａ，ｘｂ，ｘｃ，ｘｄ）を発生させる。前記ディスプレイコンピュータ装置（４）からの制御コマンド（ｘａ，ｘｂ，ｘｃ，ｘｄ）に基づいて、信号（５５）が、表示エレメント（ａ１−ｎ，ｂ１−ｎ，ｃ１−ｎ，ｄ１−ｎ）を含み且つ表示するファイルから発生され、各々の接続されたディスプレイ装置（１）に送信される。【選択図】  図１
2007515656.tif 000002
【特許請求の範囲】
【請求項１】
複数のディスプレイ装置（１）におけるデジタル表示エレメント（ａ１−ｎ，ｂ１−ｎ，ｃ１−ｎ，ｄ１−ｎ）を視覚化する方法であって、第１のディスプレイ装置（１）における前記表示エレメント（ａ１−ｎ，ｂ１−ｎ，ｃ１−ｎ，ｄ１−ｎ）の視覚化及び少なくとも一つの付加的なディスプレイ装置（１）における前記表示エレメント（ａ１−ｎ，ｂ１−ｎ，ｃ１−ｎ，ｄ１−ｎ）の視覚化は、時系的及び／若しくは空間的に調整された方法において実行され、且つ前記表示エレメント（ａ１−ｎ，ｂ１−ｎ，ｃ１−ｎ，ｄ１−ｎ）は相互に接続される方法において、
少なくとも一つ、好ましくは複数のコンピュータディスプレイ装置（４）及び該コンピュータディスプレイ装置に接続される制御コンピュータ装置（３）が設けられ、且つ各々のコンピュータディスプレイ装置（４）が少なくとも一つのディスプレイ装置（１）と結合すると共に、ファイル形式の少なくとも一つの表示エレメント（ａ１−ｎ，ｂ１−ｎ，ｃ１−ｎ，ｄ１−ｎ）及び／若しくは表示エレメント（ａ１−ｎ，ｂ１−ｎ，ｃ１−ｎ，ｄ１−ｎ）を含むファイルに対する少なくとも一つのリファレンス及び少なくとも一つの制御情報（ｔａ，ｔｂ，ｔｃ，ｔｄ）が前記制御コンピュータ装置（３）に送信され、前記制御情報（ｔａ，ｔｂ，ｔｃ，ｔｄ）が、ディスプレイ装置（１）での表示エレメント（ａ１−ｎ，ｂ１−ｎ，ｃ１−ｎ，ｄ１−ｎ）の表示時点及び／若しくは場所を特定し、前記制御コンピュータ装置（３）が、前記制御情報（ｔａ，ｔｂ，ｔｃ，ｔｄ）から少なくとも一つの制御コマンド（ｘａ，ｘｂ，ｘｃ，ｘｄ）を発生させ、前記表示エレメント（ａ１−ｎ，ｂ１−ｎ，ｃ１−ｎ，ｄ１−ｎ）及び／若しくはレファレンス及び制御コマンド（ｘａ，ｘｂ，ｘｃ，ｘｄ）が前記制御コンピュータ装置（３）によって前記コンピュータディスプレイ装置（４）に送信され、且つグラフィックカード及び／若しくはアコースティックカードフォーマットにおける信号が、表示エレメント（ａ１−ｎ，ｂ１−ｎ，ｃ１−ｎ，ｄ１−ｎ）を含むファイルから、表示エレメント（ａ１−ｎ，ｂ１−ｎ，ｃ１−ｎ，ｄ１−ｎ）を表示又は出力するために、前記コンピュータディスプレイ装置（４）による制御コマンド（ｘａ，ｘｂ，ｘｃ，ｘｄ）の結果として発生され、前記関連したディスプレイ装置（１）に送信されることを特徴とする方法。
【請求項２】
複数の表示エレメント（ａ１−ｎ，ｂ１−ｎ，ｃ１−ｎ，ｄ１−ｎ）及び／若しくはレファレンス及び制御情報（ｔａ，ｔｂ，ｔｃ，ｔｄ）が、プレイリスト（２）にコンパイルされ、且つ該プレイリスト（２）又は独立した表示エレメント（ａ１−ｎ，ｂ１−ｎ，ｃ１−ｎ，ｄ１−ｎ）及び／若しくはリファレンス及び制御情報（ｔａ，ｔｂ，ｔｃ，ｔｄ）は、前記制御コンピュータ装置（３）に送信されることを特徴とする請求項１記載の方法。
【請求項３】
前記プレイリスト（２）は、前記制御コンピュータ装置（３）によって分析されると共に、制御コマンド（ｘａ，ｘｂ，ｘｃ，ｘｄ）が、プレイリスト（２）にコンパイルされた表示エレメント（ａ１−ｎ，ｂ１−ｎ，ｃ１−ｎ，ｄ１−ｎ）の表示及び／若しくはレファレンスのために発生されることを特徴とする請求項１又は２記載の方法。
【請求項４】
前記コンピュータディスプレイ装置（４）及び前記制御コンピュータ装置（３）が、インターネット、好ましくはイントラネットに統合されることを特徴とする前段請求項のいずれか一つに記載の方法。
【請求項５】
同じ表示エレメント（ａ１−ｎ，ｂ１−ｎ，ｃ１−ｎ，ｄ１−ｎ）が、少なくとも２つのコンピュータディスプレイ装置（４）に蓄積されること、又は同じ表示エレメント（ａ１−ｎ，ｂ１−ｎ，ｃ１−ｎ，ｄ１−ｎ）が、少なくとも２つのコンピュータディスプレイ装置（４）に送信されることを特徴とする前段請求項のいずれか一つに記載の方法。
【請求項６】
前記制御コマンド（ｘａ，ｘｂ，ｘｃ，ｘｄ）が、表示エレメント（ａ１−ｎ，ｂ１−ｎ，ｃ１−ｎ，ｄ１−ｎ）の所望の表示時間にぎりぎりに、前記コンピュータディスプレイ装置（４）に送信されること特徴とする前段請求項のいずれか一つに記載の方法。
【請求項７】
第１の制御コマンド（ｘａ，ｘｂ，ｘｃ，ｘｄ）が、表示エレメント（ａ１−ｎ，ｂ１−ｎ，ｃ１−ｎ，ｄ１−ｎ）を含むファイルを、前記コンピュータディスプレイ装置（４）にロードさせること、且つ／又は第２の制御コマンドが、前記コンピュータディスプレイ装置（４）によって送信される信号（５）をディスプレイ装置（１）に送信させ及び／若しくは前記表示エレメント（ａ１−ｎ，ｂ１−ｎ，ｃ１−ｎ，ｄ１−ｎ）を前記ディスプレイ装置（１）に表示させることを特徴とする前段請求項のいずれか一つに記載の方法。
【請求項８】
前記第１の制御コマンド及び前記第２の制御コマンドは、所定時間ずれるように送信されること、又は前記第１の制御コマンド及び前記第２の制御コマンドが同時に送信されると共に、第２の制御コマンドの送信の後、所定時間が経過した後、前記第２の制御コマンドが信号を送信すること及び／若しくは表示エレメント（ａ１−ｎ，ｂ１−ｎ，ｃ１−ｎ，ｄ１−ｎ）が前記ディスプレイ装置（１）に表示されることを特徴とする前段請求項のいずれか一つに記載の方法。
【請求項９】
複数のコンピュータディスプレイ装置（４）がリファレンス時間と同期すること及び前記第２の制御コマンドが予め決められた時間で信号（５）を送信することを特徴とする前段請求項のいずれか一つに記載の方法。
【請求項１０】
前記制御コマンドの送信開始及び／若しくは表示エレメントのロード処理の完了及び／若しくは前記信号（５）の送信及び／若しくはディスプレイ装置（１）での表示エレメント（ａ１−ｎ，ｂ１−ｎ，ｃ１−ｎ，ｄ１−ｎ）の表示の間の時間は、自動的に決定されることを特徴とする前段請求項のいずれか一つに記載の方法。
【請求項１１】
信号（５）の発生の間及び／若しくは関連したディスプレイ装置（１）での表示エレメント（ａ１−ｎ，ｂ１−ｎ，ｃ１−ｎ，ｄ１−ｎ）の表示の間、制御信号が前記制御コンピュータ装置（３）に送信されることを特徴とする前段請求項のいずれか一つに記載の方法。
【請求項１２】
表示エレメント（ａ１−ｎ，ｂ１−ｎ，ｃ１−ｎ，ｄ１−ｎ）が関連したディスプレイ装置（１）に表示される時点は、決定された時間の機能として及び／若しくは制御信号の機能として、前記制御コンピュータ装置（３）によって制御されることを特徴とする前段請求項のいずれか一つに記載の方法。
【請求項１３】
一つのコンピュータディスプレイ装置（４）、好ましくは複数のコンピュータディスプレイ装置（４）及び該コンピュータディスプレイ装置（４）に接続される制御コンピュータ装置（３）が設けられること及び各々のコンピュータディスプレイ装置（４）が少なくとも一つのディスプレイ装置（１）と結合されることを特徴とする前段請求項のいずれか一つに記載の方法を実行するためのシステム。
【発明の詳細な説明】
【技術分野】
【０００１】
この発明の主題は、複数のディスプレイ装置でデジタル表示エレメントを視覚化する方法及びシステムにおいて、前記表示エレメントの視覚化が、第１のディスプレイ装置で時系的且つ空間的に対応する方法において行われ、少なくとも一つの付加的なディスプレイ装置で表示エレメントの視覚化が行われ、且つその表示エレメントが、お互いに接続される方法及びシステムに関する。
【背景技術】
【０００２】
本発明は、テキスト、イメージ及び映像又は音の情報がコンピュータによってディスプレイ上の表示エレメントとして視覚化され且つ／又はお互いに調子を合わせる方法においてアコースティックディスプレイ装置に出力されるデジタル情報システムの領域に関する。前記ディスプレイに関して、テキスト、イメージ及び映像は、デジタル形式において主として又は排他的に入手できる。モニター又はスクリーンのようなディスプレイ装置でデジタル表示エレメントを視覚化できるために、デジタル情報は、第１にコンピュータディスプレイ装置、例えばディスプレイ専用であり且つ適当なソフトウェアを有する（マルチメディア）コンピュータによって、ディスプレイ装置の為の信号に変換される。一般に、これらの信号は、グラフィックカード及び／若しくはアコースティックカードフォーマットを有する。もし、複数のディスプレイ装置が同時に同じデジタル情報を表示するならば、コンピュータディスプレイ装置によって発生されたイメージ及び／若しくは音声信号が、いわゆるＹスイッチを介して再生され且つ前記コンピュータディスプレイ装置に接続されるディスプレイ装置に送信されることで十分である。
【０００３】
一方、もしデジタル表示エレメントが、例えばお互いに調子を合わせる方法において、時系的に対応する方法において、前記専用のコンピュータディスプレイ装置に接続される複数のディスプレイ装置で視覚化されるならば、それはかなり複雑になる。前記コンピュータディスプレイ装置に接続されるディスプレイ装置のためのイメージ及び／若しくは音声信号に、視覚化するべきデジタル表示エレメントを変換することに加えて、信号の入力順序と、各々のディスプレイ装置で視覚化されるべき情報の時系的及び／若しくは空間的に調整された視覚化を確保するために維持されなければならない目標アドレスとを特定する必要がある。
【０００４】
従来技術において、もし複数の異なるデジタル表示エレメントがコンピュータディスプレイ装置に接続されるディスプレイ装置で異なる時間で視覚化される場合には、視覚化の時間又は場所を特定するそれぞれの情報と共に、視覚化が意図される表示エレメントは、時系列プランを用意するために、コンピュータディスプレイ装置によって分析されなければならなかった。この時系列プランは、視覚化されるべきどの情報が、どの時間で、どのディスプレイ装置で及び／若しくはどの方法において表示されるべきものであるかを決定した。
【０００５】
それぞれのディスプレイ装置で視覚化すべき表示エレメントの時系的順序を特定し又は制御すること、及び特にイメージ及び／若しくは音声信号を発生させることは、コンピュータの操作上大変複雑である。このコンピュータ操作上の複雑さは、イメージ量又はディスプレイ装置で視覚化されるべき表示エレメントの分解が極端に制限されるという事実に対応している。大きな演算能力を有するコンピュータディスプレイ装置の使用は、投資のかなり高いコストを必要とする。
【特許文献１】ＵＳ  ２００２／００７９８７  Ａ１
【特許文献２】ＵＳ  ６  ２８８  ６８８  Ｂ１
【発明の開示】
【発明が解決しようとする課題】
【０００６】
本願発明によって解決されるべき課題は、デジタル表示エレメントの視覚化に最適な方法及びシステムを作ることであり、この方法及びシステムによって、高い精度を有し、上記に挙げられた不利益なしに複数のディスプレイ装置でお互いに時系的に調整された表示エレメントを視覚化することが、簡単で安価となる。
【課題を解決するための手段】
【０００７】
上記課題を解決するために、上述したような本発明は、一つのコンピュータディスプレイ装置、好ましくは複数のコンピュータディスプレイ装置及び前記コンピュータディスプレイ装置に接続される少なくとも一つの制御コンピュータ装置を具備し、各々のコンピュータディスプレイ装置が、少なくとも一つのそれ専用のディスプレイ装置を有すると共に、ファイル形式の少なくとも一つの表示エレメント及び／若しくは前記表示エレメントを含むか表示するファイルへの少なくとも一つのレファレンス及び少なくとも一つの制御情報が制御コンピュータ装置へ伝達され、前記制御情報がディスプレイ装置での表示エレメントの表示時点及び／若しくは場所を決定し、前記制御コンピュータ装置が制御情報から少なくとも一つの制御コマンドを発生させ、前記表示エレメント及び／若しくはレファレンス及び制御コマンドが前記制御コンピュータ装置によって前記コンピュータディスプレイ装置に伝達され、且つグラフィックカード及び／若しくはアコースティックカードフォーマットの信号が、コンピュータディスプレイ装置による制御コマンドの結果として表示エレメントを含むファイルから発生され、各々の専用ディスプレイ装置に伝達されるという方法及びシステムを入手可能にすることにある。
【０００８】
複数のディスプレイ装置での表示エレメントの時系的及び／若しくは空間的に調整された視覚化に関する従来の方法と比較して、本発明に係る方法は、複数のディスプレイ装置で調整された方法で視覚化されるデジタルエレメントの時系的順序の仕様及び各々のディスプレイ装置のための入力信号への視覚化されるべき情報の変換が、プログラムから独立し且つ好ましくはハードウェア的にも独立した異なる２つのコンピュータ装置で実行されることを提供する。これは、それぞれのディスプレイ装置で視覚化されるべきデジタル表示エレメントの時系的に調整された順番を特定するための制御コマンドを発生させるために要求される演算能力が、前記制御コンピュータ装置によって提供されると同時に、前記コンピュータディスプレイ装置の演算能力が、前記ディスプレイ装置のためのイメージ及び／若しくは音声信号へのファイル形式で存在する表示エレメントの変換を実行するために全体的に使用されることを可能にする。コンピュータディスプレイ装置が、デジタル表示エレメントを視覚化するために特定のディスプレイ装置に信号を送信する時点及び表示場所が特定されることによる目標アドレスは、前記制御コンピュータ装置によって発生され且つ前記コンピュータディスプレイ装置に伝達される少なくとも一つの制御コマンドによって決定される。
【０００９】
前記制御コマンドは、イメージ及び／若しくは音声信号が、ファイル形式で用意された表示エレメントから発生され、且つ／又はディスプレイ装置に伝達されるべき表示エレメントから発生されるべき時点についての情報を前記コンピュータディスプレイ装置に提供し、表示エレメントが所望のディスプレイ装置に所定の時点及び所定の場所で視覚化又は表示されることを確保する。これを実行するために、前記制御コンピュータ装置は、全てのコンピュータディスプレイ装置に接続される。各々のコンピュータディスプレイ装置は、好ましくはディスプレイ装置に接続される。この場合、前記コンピュータディスプレイ装置を介して制御コンピュータ装置に接続される全てのディスプレイ装置で、デジタル表示エレメントが、調整された方法において視覚化することが可能である。
【００１０】
しかし、原則として、コンピュータディスプレイ装置は、複数のディスプレイ装置に接続することも可能であり、これによって、前記コンピュータディスプレイ装置に接続される全てのディスプレイ装置で同時に同じデジタル情報又はデジタルエレメントを視覚化することが可能となる。これを実行するために、例えば、上述したような従来のＹ−スイッチは、コンピュータディスプレイ装置によって発生されるイメージ及び／若しくは音声信号を再生し、前記信号を、前記コンピュータディスプレイ装置に接続されたディスプレイ装置に発信するために、使用される。さらに、いわゆるスプリッタコンピュータは、コンピュータディスプレイ装置の下流側に設けられ、そのスプリッタコンピュータは、調整された方法において、制限された分解で、グラフィックカード形式の入力信号をいくつかの異なるディスプレイ装置に分配することができる。
【００１１】
表示エレメントは、ディスプレイ装置で視覚化されるときに、例えば視聴者によって、例えば複数の列からなるコマーシャルのような一つのユニットとして知覚されるものであるだけでなく、コマーシャルのイメージ又はＭＰＥＧのようなユニットを形成するために結合されるファイルのようなものである。デジタル表示エレメントは、常に、グラフィック及びアコースティックエレメントの両方を含むことができるが、最も単純な場合には、表示エレメントは、グラフィック及び／若しくはアコースティック情報の単なる一部である。
【００１２】
前記表示エレメント及び／若しくはそのリファレンスは、前記制御コンピュータ装置による制御コマンドと共に前記コンピュータディスプレイ装置に送信されることが好ましい。前記コンピュータディスプレイ装置は、単にイメージ及び／若しくは音声信号を、一つのファイル又は複数のファイルで用意された表示エレメントから発生させる手助けをする。調整されたデジタル表示エレメントと制御コマンドの同時送信は、その制御コマンドを受信するとすぐに、コンピュータディスプレイ装置に、表示エレメントを保存又は蓄積する必要なしに、前記コンピュータディスプレイ装置がディスプレイ装置用の信号を即座に発生させることができるという利点を有している。
【００１３】
しかしながら、表示エレメントが、前記コンピュータディスプレイ装置の蓄積装置のメモリにファイルとして保存又は蓄積されることも可能である。この場合、制御コマンドの送信は、表示エレメントファイルの送信と独立している。制御コマンドがコンピュータディスプレイ装置に電送されるとすぐに、制御コマンドと関連する表示エレメントファイルは、前記コンピュータディスプレイ装置のメモリからロードされる。これは、コンピュータディスプレイ装置の同じ表示エレメントが、ディスプレイ装置用信号に数回変換される場合に又は迅速なデータ送信が要求される場合に、特別な利点を有する。
【００１４】
そして、最後に、前記制御コンピュータ装置は、デジタルレファレンス又は経路仕様を制御コマンドと共に、コンピュータディスプレイ装置に送信することができ、その場合、コンピュータディスプレイ装置のレファレンスは、表示エレメントを有するファイルにアクセスすることができる。この場合、視覚化するべき表示エレメントは、例えば制御コンピュータ装置のメモリ及び／若しくは外部中央メモリに蓄積される。これは、特に大きい容量のデータが視覚化される場合に有益である。
【００１５】
前記制御コンピュータ装置によって発生される制御コマンドは、一つの制御コマンドとして又は制御コマンドブロックにおける複数の付加的な制御コマンドの結合として、前記コンピュータディスプレイ装置に送信される。制御コマンドブロックとしての送信は、例えば、前記表示エレメントの表示の間、並列効果又は「ブリンキングライト」効果が要求される時に、有益である。前記制御コマンド及び／若しくは表示エレメント及び／若しくはレファレンスは、制御コンピュータ装置及びコンピュータディスプレイ装置の両方へ、ファイルの形式で又はネットワークパッケージの形式で送信される。その上、複数のディスプレイ装置が、視聴者が容易に視聴できる方法で空間的に相互結合されるように形成可能であることも記すべきである。この場合、本発雨位は特に有益であり且つ重要である。
【００１６】
本発明の特に好ましい例によれば、複数の表示エレメント及び／若しくはレファレンス及び制御情報は、プレイリストにコンパイルされ、且つ前記プレイリスト又は個々の表示エレメント及び／若しくはレファレンス及び制御情報は制御コンピュータ装置に送信される。前記プレイリストにおいて、所定の時間に渡って視覚化されるべき表示エレメントは、シーケンスプランの形式で示される。前記制御コンピュータ装置へのプレイリストの送信の後、前記プレイリストは、制御コンピュータによって、プレイリスト内の視覚化されるべき表示エレメントの時系的及び／若しくは空間的調整にしたがって、分析され、制御コマンド及び／若しくはレファレンスはプレイリストによってコンパイルされた表示エレメントのディスプレイのために発生され、前記コンピュータディスプレイ装置に送信される。前記プレイリストは、異なるディスプレイ装置及びいわゆるマスタープレイリストからの異なる回数の表示のために異なるプレイリストを容易に発生させる可能性を有するファイルフォーマットの形式で入手されることが好ましい。
【００１７】
前記コンピュータディスプレイ装置及び前記制御コンピュータ装置は、ネットワーク、例えばインターネットに統合されることが好ましい。前記制御コンピュータ装置及び前記コンピュータディスプレイ装置の間の情報の送信は、永久的な又は連続する情報伝送ラインを介して実行されることが好ましい。
【００１８】
少なくとも２つのディスプレイ装置で、同じデジタル表示エレメント及び／若しくはプログラムブロックを視覚化するために、本発明によれば、少なくとも２つのコンピュータディスプレイ装置に同一の表示エレメントを蓄積し又は少なくとも２つのコンピュータディスプレイ装置に同一の表示エレメントを送信することができる。前記ディスプレイ装置に同一の情報を同時に視覚化するために、同一の制御コマンドが、制御コンピュータ装置によって、該当するコンピュータディスプレイ装置に送信される。
【００１９】
視覚化される情報又は表示エレメントの時系的及び／若しくは空間的調整は、異なる方法において実行される。前記制御コマンドは、表示エレメントの所望の表示の時間に近接し、例えばそれに先立つことすぐに送信される。最も単純な場合、前記制御コマンドは、「今、表示エレメントｘを表示せよ」というような前記コンピュータディスプレイ装置への指示である。前記表示エレメントをロードすることが前記コンピュータディスプレイ装置のアクティブメモリにおける遅延を導かないことを確実にするために、前記制御コンピュータ装置は、表示エレメントを送信するいわゆるロードコマンドを使用し、これによって表示の規定時間の先だって前記コンピュータディスプレイ装置のアクティブメモリにそれらを入手させるものである。この場合、前記制御コマンド「表示エレメントｘをロードせよ」が、所定時間先行して前記表示エレメントの各々に関して送信され、付加的な制御コマンド「表示エレメントｘを今表示せよ」が作用時間の時間内にそれに続いて送信される。表示コマンドがロードコマンドと同時に送信され、且つ送信時に、表示エレメントが表示されるまでの時間内に遅延を特定する情報が同時に送信されるという方法において制御コマンドを形成することも可能である。この場合、制御コマンドは、例えば「デジタル表示エレメントｘを今ロードし、時間ｙの経過の後、表示エレメントｘを表示せよ」と読むことができる。
【００２０】
さらに、前記コンピュータディスプレイ装置が、リファレンス時間とシンクロナイズすることも可能であり、制御コマンドがイメージ及び／若しくは音声信号をレファレンス時間に対する予め決定された時間で表示エレメントファイルから発生させることも可能である。表示エレメントをロードさせる制御コマンドを有する潜在的な結合に関係なく、信号を送信し及び／若しくは表示エレメントをディスプレイ装置に視覚化する制御コマンドは、絶対時間マーカーを有し、且つレファレンス時間を照会する。種々のディスプレイ装置での表示エレメントの調整された視覚化を確保するために、絶対時間マーカーを使用する必要があり、前記システムに含まれるコンピュータ装置を選択された前記時間マーカー又はレファレンス時間に同期させるものである。
【００２１】
前記ディスプレイ装置で視覚化される表示エレメントの時系的調整をより高い精度で行うために、本発明によれば、制御コマンドの送信開始且つ／又は表示エレメントのロード作業の完了且つ／又はイメージ及び／若しくは音声信号の送信且つ／又はディスプレイ装置での表示エレメントの視覚化の間の時間が自動的に決定され、且つさらに送信の間に、ある種の閉ループ制御システムによって自動的に考慮されることを提供することも可能にする。このような関係においては、視覚化される表示エレメントの信号への変換の間、及び／若しくは適当なディスプレイ装置での表示エレメントの視覚化の間、制御信号が前記制御コンピュータ装置に送信されることを確実することが有益である。表示エレメントが、適当なディスプレイ装置での将来的な送信の間視覚化される時点は、このように、決定された時間及び／若しくは送信される制御信号の機能として制御される。
【００２２】
前記ディスプレイ装置は、視聴者がすぐに見ることができるデジタル情報の調整された視覚化で、空間的な相互接続において視覚的に形成されることが好ましい。例えば、複数のディスプレイ装置が、種々のディスプレイ装置で表示される特定のイメージエレメントで、直列に形成される。これによって、空間的な相互接続において設けられたディスプレイ装置でディスプレイパターンを視角化することが可能となる。例えば、ｔ１時で、第１、第３及び第５のディスプレイ装置が赤のイメージを表示すると同時に、第２、第４の及び第６のディスプレイ装置で緑のイメージが表示される。ｔ２時に、逆の色パターンが、空間的に相互に接続されるこれら６つのディスプレイ装置に表示される。第２の簡単な例によれば、赤イメージのようなグラフィック表示エレメントが短い時間内で第１から最後のディスプレイ装置に通過する。視覚化される表示エレメント及び／若しくはプレイリストの調整された順番は、要求されるのと同じくらい複雑である。
【００２３】
しかしながら、原則として、複数のディスプレイ装置がいくつかの部屋において、又は異なる場所でお互いに独立して配されることも可能である。例えば、第１の部屋において、視聴者は、時間ｔ１で第１の順番のフィルムを視聴し、時間ｔ２で第２の部屋で第２の順番のフィルムを見ることができる。この場合、第１の順番のプレイ時間と第２の順番のプレイ時間の間の時間差は、視聴者が第１の部屋から第２の部屋に歩くのにかかる平均時間に正確に調整されることが望ましい。これによって、異なる部屋の代わりに、視聴者が連続して順番のフィルムを外観上見ることができるものである。
【発明を実施するための最良の形態】
【００２４】
例えば、本発明に係る方法の可能性のある具体例が、下記する図面に基づいて記載される。
【実施例】
【００２５】
図１は、複数のディスプレイ装置１にデジタル表示エレメントａ１−ｎ，ｂ１−ｎ，ｃ１−ｎ，ｄ１−ｎを視覚化するための本発明に係る方法の具体例を示した簡略化された説明図である。例えば、前記エレメントａ１−ｎ，ｂ１−ｎ，ｃ１−ｎ，ｄ１−ｎは、独立したテキスト、ビデオ又はイメージ又はそれらの結合であり、且つプレイリスト２におけるプログラムの順番に沿って将来的にプレイされるためにコンパイルされるそれらの順番である。プレイリスト２は、表示エレメントａ１−ｎ，ｂ１−ｎ，ｃ１−ｎ，ｄ１−ｎ又はそのリファレンスがファイル形式で保持されるファイルである。プレイリスト２は、制御情報ｔａ，ｔｂ，ｔｃ，ｔｄがディスプレイ装置ａ１−ｎ〜ｄ１−ｎの各々の専用である順番プランの順に沿ってコンパイルされる。さらに、前記制御情報も、スクリーン上の位置及び表示エレメントのオーバーレイ効果を含んでいる。
【００２６】
図１において示される具体例によれば、プレイリスト２は、制御コンピュータ装置３に送信される。前記制御コンピュータ装置３は、前記プレイリスト２を分析すると共に、この制御コンピュータ装置３は、各々の制御情報ｔａ〜ｔｄから関連する制御コマンドｘａ〜ｘｄを発生させる。前記制御コマンドは、前記関連した制御情報のように、個々の表示エレメントが表示されるべき時間とディスプレイ装置を特定する。さらに、制御コマンドを介して、スクリーン上の位置及び個々の表示エレメントの関するオーバーレイ効果を制御することができる。前記制御コンピュータ装置３は、複数のコンピュータディスプレイ装置４に発生された制御コマンドｘａ〜ｘｄと共に、表示エレメントａ１−ｎ，ｂ１−ｎ，ｃ１−ｎ，ｄ１−ｎを送信する。制御コマンドｘａ〜ｘｄに基づいて、前記関連したコンピュータディスプレイ装置４は、表示エレメントａ１−ｎ，ｂ１−ｎ，ｃ１−ｎ，ｄ１−ｎを含むファイルから、適当な専用ディスプレイ装置１に送信されるディスプレイプレート又は表示エレメントａ１−ｎ，ｂ１−ｎ，ｃ１−ｎ，ｄ１−ｎの出力のためのイメージ及び／若しくは音声信号５を発生させる。これは、プレイリスト２において特定された表示エレメントａ１−ｎ，ｂ１−ｎ，ｃ１−ｎ，ｄ１−ｎの時系的調整が適切に考慮されると同時に、表示エレメントａ１−ｎ，ｂ１−ｎ，ｃ１−ｎ，ｄ１−ｎがプレイされることを確実にする。これは、プレイリスト２に含まれる表示エレメントａ１−ｎ，ｂ１−ｎ，ｃ１−ｎ，ｄ１−ｎが、又は予め定められた順番プランによって予め決められた時間に表示され、又は出力されることを意味する。これによって、表示エレメントａ１−ｎ，ｂ１−ｎ，ｃ１−ｎ，ｄ１−ｎの時系的及び／若しくは空間的な調整が単純であり、且つ容易に実行することができるものである。
【００２７】
前記制御コンピュータ装置３は、一つ又は複数のコンピュータディスプレイ装置４を制御することができる。図示しないが、原則として、複数のコンピュータディスプレイ装置が存在する場合には、これらの一つが他のコンピュータディスプレイ装置のための制御コンピュータ装置として機能するように設けることも可能である。これを実行するために、制御コンピュータ装置３及び関連したコンピュータディスプレイ装置４は、適当なデータプロセッシングプログラムを有する。すなわち制御コンピュータ装置３がいわゆるプレイリストアナライザーであり、コンピュータディスプレイ装置４のためのソフトウェアがいわゆるエレメントプレイヤーである。
【００２８】
この方法において、前記プレイリストアナライザーは、一つ又は複数のエレメントプレイヤーを制御することができる。原則として、前記プレイリストアナライザー及びエレメントプレイヤーは、同一のコンピュータ又は同一のコンピュータ装置に、独立したプログラムとしてインストールされる。しかしながら、前記プレイリストアナライザーは、独立した専用のコンピュータにインストールされることが望ましい。これは、プレイリストアナライザーを有するコンピュータ及びエレメントプレイヤーを有する個々のコンピュータが、各々のタスクに関して技術的に最大適用容量を使用し、且つ必要にならば（例えば、修復の間）、容易に取り替えることができることを確保する。
【図面の簡単な説明】
【００２９】
【図１】図１は、複数のディスプレイ装置にデジタル表示エレメントを視覚化するための本発明に係る方法の具体例の簡略化した説明図である。
【符号の説明】
【００３０】
１  ディスプレイ装置
２  プレイリスト
３  制御コンピュータ装置
４  コンピュータディスプレイ装置
５  信号
2007515656.tif 000003
【手続補正書】
【提出日】平成17年5月19日(2005.5.19)
【手続補正１】
【補正対象書類名】特許請求の範囲
【補正対象項目名】全文
【補正方法】変更
【補正の内容】
【特許請求の範囲】
【請求項１】
複数のディスプレイ装置（１）におけるデジタル表示エレメント（ａ１−ｎ，ｂ１−ｎ，ｃ１−ｎ，ｄ１−ｎ）を視覚化する方法であって、第１のディスプレイ装置（１）における前記表示エレメント（ａ１−ｎ，ｂ１−ｎ，ｃ１−ｎ，ｄ１−ｎ）の視覚化及び少なくとも一つの付加的なディスプレイ装置（１）における前記表示エレメント（ａ１−ｎ，ｂ１−ｎ，ｃ１−ｎ，ｄ１−ｎ）の視覚化は、時系的及び／若しくは空間的に調整された方法において実行されると共に、前記表示エレメント（ａ１−ｎ，ｂ１−ｎ，ｃ１−ｎ，ｄ１−ｎ）の調整は、前記表示エレメント（ａ１−ｎ，ｂ１−ｎ，ｃ１−ｎ，ｄ１−ｎ）の時系的及び／若しくは空間的に調整された視覚化に関係し、且つ前記表示エレメント（ａ１−ｎ，ｂ１−ｎ，ｃ１−ｎ，ｄ１−ｎ）はお互いに接続される方法において、
複数のディスプレイコンピュータ装置（４）及び該コンピュータディスプレイ装置に接続される制御コンピュータ装置（３）が設けられ、且つ各々のコンピュータディスプレイ装置（４）が少なくとも一つのディスプレイ装置（１）と結合すると共に、
ファイル形式の少なくとも一つの表示エレメント（ａ１−ｎ，ｂ１−ｎ，ｃ１−ｎ，ｄ１−ｎ）及び／若しくは表示エレメント（ａ１−ｎ，ｂ１−ｎ，ｃ１−ｎ，ｄ１−ｎ）を含むファイルに対する少なくとも一つのリファレンス及び少なくとも一つの制御情報（ｔａ，ｔｂ，ｔｃ，ｔｄ）が、プレイリスト（２）又は順番プランにおいて、前記制御コンピュータ装置（３）に送信され、
前記制御情報（ｔａ，ｔｂ，ｔｃ，ｔｄ）が、ディスプレイ装置（１）での表示エレメント（ａ１−ｎ，ｂ１−ｎ，ｃ１−ｎ，ｄ１−ｎ）の表示時点及び／若しくは場所を特定し、
前記制御コンピュータ装置（３）が、前記プレイリスト（２）を分析すると共に、前記制御情報（ｔａ，ｔｂ，ｔｃ，ｔｄ）から少なくとも一つの制御コマンド（ｘａ，ｘｂ，ｘｃ，ｘｄ）を発生させ、
前記表示エレメント（ａ１−ｎ，ｂ１−ｎ，ｃ１−ｎ，ｄ１−ｎ）及び／若しくはレファレンス及び制御コマンド（ｘａ，ｘｂ，ｘｃ，ｘｄ）が前記制御コンピュータ装置（３）によって前記コンピュータディスプレイ装置（４）に送信され、
デジタル形式で入手される表示エレメント（ａ１−ｎ，ｂ１−ｎ，ｃ１−ｎ，ｄ１−ｎ）を含むファイルからの表示エレメント（ａ１−ｎ，ｂ１−ｎ，ｃ１−ｎ，ｄ１−ｎ）が、前記ディスプレイコンピュータ装置（４）による制御コマンド（ｘａ，ｘｂ，ｘｃ，ｘｄ）の結果として、それぞれにディスプレイ装置（１）での表示エレメント（ａ１−ｎ，ｂ１−ｎ，ｃ１−ｎ，ｄ１−ｎ）の表示又はディスプレイ装置（１）への表示エレメント（ａ１−ｎ，ｂ１−ｎ，ｃ１−ｎ，ｄ１−ｎ）の出力するために、グラフィックカード及び／若しくはアコースティックカード形式の信号（５）に変換され、且つ関連するディスプレイ装置（１）に送信され、且つ
前記制御コマンド（ｘａ，ｘｂ，ｘｃ，ｘｄ）がディスプレイコンピュータ装置（４）が信号（５）を送信する時点及び信号（５）が送信されるべきディスプレイ装置を特定し、
前記ディスプレイコンピュータ装置（４）が、排他的にデジタル表示エレメントからイメージ及び／若しくは音声信号を発生させる作業を行うことを特徴とする方法。
【請求項２】
複数の表示エレメント（ａ１−ｎ，ｂ１−ｎ，ｃ１−ｎ，ｄ１−ｎ）及び／若しくはレファレンス及び制御情報（ｔａ，ｔｂ，ｔｃ，ｔｄ）が、プレイリスト（２）にコンパイルされ、且つ該プレイリスト（２）又は独立した表示エレメント（ａ１−ｎ，ｂ１−ｎ，ｃ１−ｎ，ｄ１−ｎ）及び／若しくはリファレンス及び制御情報（ｔａ，ｔｂ，ｔｃ，ｔｄ）は、前記制御コンピュータ装置（３）に送信されることを特徴とする請求項１記載の方法。
【請求項３】
前記プレイリスト（２）は、前記制御コンピュータ装置（３）によって分析されると共に、制御コマンド（ｘａ，ｘｂ，ｘｃ，ｘｄ）が、プレイリスト（２）にコンパイルされた表示エレメント（ａ１−ｎ，ｂ１−ｎ，ｃ１−ｎ，ｄ１−ｎ）の表示及び／若しくはレファレンスのために発生されることを特徴とする請求項１又は２記載の方法。
【請求項４】
前記コンピュータディスプレイ装置（４）及び前記制御コンピュータ装置（３）が、インターネット、好ましくはイントラネットに統合されることを特徴とする前段請求項のいずれか一つに記載の方法。
【請求項５】
同じ表示エレメント（ａ１−ｎ，ｂ１−ｎ，ｃ１−ｎ，ｄ１−ｎ）が、少なくとも２つのコンピュータディスプレイ装置（４）に蓄積されること、又は同じ表示エレメント（ａ１−ｎ，ｂ１−ｎ，ｃ１−ｎ，ｄ１−ｎ）が、少なくとも２つのコンピュータディスプレイ装置（４）に送信されることを特徴とする前段請求項のいずれか一つに記載の方法。
【請求項６】
前記制御コマンド（ｘａ，ｘｂ，ｘｃ，ｘｄ）が、表示エレメント（ａ１−ｎ，ｂ１−ｎ，ｃ１−ｎ，ｄ１−ｎ）の所望の表示時間にぎりぎりに、前記コンピュータディスプレイ装置（４）に送信されること特徴とする前段請求項のいずれか一つに記載の方法。
【請求項７】
第１の制御コマンド（ｘａ，ｘｂ，ｘｃ，ｘｄ）が、表示エレメント（ａ１−ｎ，ｂ１−ｎ，ｃ１−ｎ，ｄ１−ｎ）を含むファイルを、前記コンピュータディスプレイ装置（４）にロードさせること、且つ／又は第２の制御コマンドが、前記コンピュータディスプレイ装置（４）によって送信される信号（５）をディスプレイ装置（１）に送信させ及び／若しくは前記表示エレメント（ａ１−ｎ，ｂ１−ｎ，ｃ１−ｎ，ｄ１−ｎ）を前記ディスプレイ装置（１）に表示させることを特徴とする前段請求項のいずれか一つに記載の方法。
【請求項８】
前記第１の制御コマンド及び前記第２の制御コマンドは、所定時間ずれるように送信されること、又は前記第１の制御コマンド及び前記第２の制御コマンドが同時に送信されると共に、第２の制御コマンドの送信の後、所定時間が経過した後、前記第２の制御コマンドが信号を送信すること及び／若しくは表示エレメント（ａ１−ｎ，ｂ１−ｎ，ｃ１−ｎ，ｄ１−ｎ）が前記ディスプレイ装置（１）に表示されることを特徴とする前段請求項のいずれか一つに記載の方法。
【請求項９】
複数のコンピュータディスプレイ装置（４）がリファレンス時間と同期すること及び前記第２の制御コマンドが予め決められた時間で信号（５）を送信することを特徴とする前段請求項のいずれか一つに記載の方法。
【請求項１０】
前記制御コマンドの送信開始及び／若しくは表示エレメントのロード処理の完了及び／若しくは前記信号（５）の送信及び／若しくはディスプレイ装置（１）での表示エレメント（ａ１−ｎ，ｂ１−ｎ，ｃ１−ｎ，ｄ１−ｎ）の表示の間の時間は、自動的に決定されることを特徴とする前段請求項のいずれか一つに記載の方法。
【請求項１１】
信号（５）の発生の間及び／若しくは関連したディスプレイ装置（１）での表示エレメント（ａ１−ｎ，ｂ１−ｎ，ｃ１−ｎ，ｄ１−ｎ）の表示の間、制御信号が前記制御コンピュータ装置（３）に送信されることを特徴とする前段請求項のいずれか一つに記載の方法。
【請求項１２】
表示エレメント（ａ１−ｎ，ｂ１−ｎ，ｃ１−ｎ，ｄ１−ｎ）が関連したディスプレイ装置（１）に表示される時点は、決定された時間の機能として及び／若しくは制御信号の機能として、前記制御コンピュータ装置（３）によって制御されることを特徴とする前段請求項のいずれか一つに記載の方法。
【請求項１３】
一つのコンピュータディスプレイ装置（４）、好ましくは複数のコンピュータディスプレイ装置（４）及び該コンピュータディスプレイ装置（４）に接続される制御コンピュータ装置（３）が設けられること及び各々のコンピュータディスプレイ装置（４）が少なくとも一つのディスプレイ装置（１）と結合されることを特徴とする前段請求項のいずれか一つに記載の方法を実行するためのシステム。
【国際調査報告】
2007515656.tif 000004
2007515656.tif 000005
2007515656.tif 000006
2007515656.tif 000007